(57)【要約】【課題】プリザーブドフラワーとは、植物に保存用有機物（及び必要に応じて色素も）を吸い上げさせた半人工花卉であり、オーストリア風工芸とは、コイルワイヤー製の各種パーツと木の実、スパイス、ビーズ、布花等から作られる手芸品である。これまで両者はそれぞれ別個のジャンルとして互いに入り交じることなく発展してきたが、本発明が解決しようとする課題は、プリザーブドフラワーとオーストリア風工芸の、いずれか単独では実現できなかった新たな美的表現手段を獲得することである。【解決手段】プリザーブドフラワーと、オーストリア風工芸とを積極的に組合せ融合させる。【選択図】図３
2006168091.tif 000002
【特許請求の範囲】
【請求項１】
生花等を保存処理したプリザーブドフラワーに、コイル状の金属線で作る葉や花などの形をした各種パーツと木の実、スパイス、ビーズ、布花等からなるオーストリア風工芸を組合せることを特徴とするプリザーブドフラワー装飾体。
【発明の詳細な説明】
【技術分野】
【０００１】
本発明は、プリザーブドフラワーを主たる構成要素とする新規な花の装飾体に関する。
【背景技術】
【０００２】
プリザーブドフラワー（以下「ＰＦ」という。）は、植物に保存用有機物（及び必要に応じて色素も）を吸い上げさせた半人工花卉である。花が美しく咲いたみずみずしい姿を数年にわたって保つことができ、自然にはない色合いの花（例えばグリーンやブルーのローズなど）を作り出すことができるという特徴を持つ。しかも、長期間水を与えなくてもほんものの生花と見紛うほどのみずみずしい質感を維持するので、従来の生花では実現できなかった新たな表現領域の開拓を可能にする花材といえる。
【０００３】
ＰＦとして利用できる花の種類は、大、中、小型のバラ、カーネーション、デンファレ、シンビジュウム、アジサイ、ダリア等多数あり、また、ラムズイヤー、ファーガス、ヘデラ、アイビー（実なし）、アイビー（実つき）、サラール等の葉物も利用できる。
【０００４】
ＰＦの発祥の地はフランスと言われるが、生花の長い歴史に比較すれば、まだ生まれて間もない花材である。ＰＦを専門に扱うフラワー・デザイナーの数もまだ多くない。その意味では発展途上にある。目下のところは他領域との融合は進んでおらず、ＰＦ独自の枠内での発展が追求されている。
【０００５】
図１は、ＰＦのみによるフラワーアレンジメントの例である。使用されているＰＦは、バラ、ミニバラ、アジサイ、ユーカリ、トフトストーベ（杉の葉状のもの）である。バラは吸い上げた色素でブルーに着色され、その周囲に配置されたアジサイは紺色と青に着色されている。
【非特許文献１】「プリザーブドフラワーって？」http://www.hanamonogatari.com/
【０００６】
他方、ヨーロッパのオーストリア地方（特にザルツブルグ周辺）に伝わる伝統工芸に、「ゲビュルツ・シュトラウス」などと呼ばれる手芸（品）がある。「ゲビュルツ」はスパイス（香辛料）の意、「シュトラウス」は花束のような「束」を意味する。この手芸の呼び名はその他にもあるが、以下では「オーストリア風工芸」(Austrian Crafts："ＡＣ"と略記）と呼ぶことにする。
【０００７】
ＡＣは１８世紀中頃に修道女によって始められたといわれる。これは、ブリヨン、ドラート又はコードネなどと呼ばれる金属線（コイル状のもの、平らなもの、ねじり合わせたもの等）を単独で用いたり、これらの金属線で葉や花などの形をしたパーツを作成し、これらの金属線又はパーツを木の実、スパイス、パール、造花、ビーズなどと組み合わせて作品に取り入れ、室内装飾品などを作る点に特徴がある。ＡＣは、今日では日本各地の手芸教室の教授課目に入っており、材料は手芸材料店で入手できる。
【０００８】
図２は、ＡＣの手法で作成した室内装飾品（クランツ＝リース）の例である。木の実（ヒノキ、ブナ、コメツガ、カシュリナ）及び布製のリーフで構成される茶系統のベースの中に、布花、ブリヨンの花、ブリヨンで巻いたスパイス（クローブ）、パールの花、ビーズの花などの輝きを配置して、ドイツ的な重厚感を演出している。
【非特許文献２】「ニャンコチャンのクラフトコーナー」http://www.geocities.co.jp/SweetHome-Brown/4639/garden2/craft3.htm
【発明の開示】
【発明が解決しようとする課題】
【０００９】
上記のＰＦを用いるフラワーアレンジメントと、ＡＣとは、その起源も歴史も異なるところから、それぞれ別個のジャンルとして互いに入り交じることなく発展してきた。しかしその双方を深く知ると、それぞれの手法単独では突き破れない限界のようなものに気付かされる。そこから浮かび上がってくる本発明の課題は、そのような限界をどのようにして乗り越えるかということである。
【課題を解決するための手段】
【００１０】
上記の課題を解決するための手段は、一つの装飾体の作品の中で、プリザーブドフラワーと、オーストリア風工芸とを、積極的に組合せ融合させることである。
【発明の効果】
【００１１】
ＰＦの特徴は自然の生花と見紛う質感を水補給なしで数年間も保つことにあるが、美感の面からすると、ＰＦはその素材となる生花と同様に、しっとりとした優美さが持ち味である。
【００１２】
一方、ＡＣの特徴は、木の実、スパイス、造花、布製の葉などの「乾き物」が与えるややガサガサした地合いの中に、パール、ナツメパールなどの輝きを点在させたり、金属線（ブリヨン等）のキラキラ感を添える点にあり、全体に民芸的な素朴さや、どっしりとした重厚感が持ち味である。
【００１３】
ところが、ＰＦに接近又は混合してＡＣを配置すると様相が一変する。ＰＦのしっとりとした優美な感じや可憐な感じが、ＡＣに含まれる乾いたガサガサ感や金属線のキラキラ感により掻き立てられ強調されて見えるという心理的効果が生じるようである。すなわち、ＰＦとＡＣの互いに異質な質感が相互に作用し合って、ＰＦ単独又はＡＣ単独では実現できなかった強い美感がそこに出現する。これが本発明の中心的効果である。
【００１４】
上記のＰＦとＡＣの組合せにおいて、ＡＣに含まれるスパイスのある種のもの（例えばクローブ：和名「丁子」、等）が防虫剤として作用し、それがある量以上存在するとＰＦを損なう虫害を防ぐことができるので、ＰＦ装飾体の耐久性が向上するという副次的効果がある。
【発明を実施するための最良の形態】
【００１５】
本発明を実施するための最良の形態を、以下の実施例により示す。
【実施例１】
【００１６】
図３は、本発明の第１実施例としての、ＰＦとＡＣとを組み合わせたリストレット（手首に着けるブーケ）である。材料は大小の白バラのＰＦ、アジサイのＰＦ、ラムズイヤーとプベッセンスの葉のＰＦ、ブリヨンで作ったゴールド調のリーフ、ブリヨンとナツメパールで作った花その他である。
【００１７】
ブリヨンとパールからなるパーツ及び金色のリボンがキラキラと輝いて、バラとアジサイの花のしっとりと優美な質感とコントラストをなし、特に中央に配されたバラの花の優美さが強く引き立てられて眼を惹き、全体としてゴージャスな美を感じさせる作品になっている。
【実施例２】
【００１８】
図４は、本発明の第２実施例としての、ＰＦとＡＣとを組み合わせた額飾りである。材料は紺色と青色がグラデーションをなすように染め分けたアジサイのＰＦを用い、これにＡＣのパーツとしてのブリヨン製の花、ナツメパール製の花、枝状に結んだパールをあしらったものである。
【００１９】
本例は一種類のＰＦ材料（色違いのアジサイ）と、数を限定したＡＣ用パーツを用いるシンプルな構成であるが、ＰＦとＡＣとの質感の違いが有効に働いて、ＰＦのしっとりと優美な質感が強調された上品な作品に仕上がっている。
【実施例３】
【００２０】
図５は、本発明の第３実施例としての、ＰＦとＡＣとを組み合わせたクランツ(リース)である。材料は、大小の赤いバラのＰＦ、アジサイのＰＦ、ユーカリの葉のＰＦ、シダの葉のＰＦ、トフトストーベの葉のＰＦ、ブリヨンで巻いたシナモン、ブリヨンで巻いたクローブ、ブリヨンで作ったゴールド調の花、ブリヨンとナツメパールで作った花である。
【００２１】
赤いバラとアジサイの花のしっとりと優美な質感と、ブリヨンで作ったゴールド調の花やブリヨンとナツメパールで作った花の輝きとが、華やかで豊かな世界を作り出している。
【産業上の利用可能性】
【００２２】
本発明はプリザーブドフラワー装飾体を中心とする手芸に関するものであるから、手芸教授業、室内装飾品及びその材料の製造販売業、ブライダル・サービス業等の諸産業の発達に寄与することができる。
【図面の簡単な説明】
【００２３】
【図１】プリザーブドフラワーのみの作品例（アレンジメント）である。
【図２】オーストリア風工芸のみの作品例（リース）である。
【図３】プリザーブドフラワーにオーストリア風工芸を組み合わせた、実施例１に係る作品例（リストレット）である。
【図４】プリザーブドフラワーにオーストリア風工芸を組み合わせた、実施例２に係る作品例（額飾り）である。
【図５】プリザーブドフラワーにオーストリア風工芸を組み合わせた、実施例３に係る作品例（リース）である。
【符号の説明】
【００２４】
１  ＰＦバラ(大)
２  ＰＦバラ(小)
３  ＰＦアジサイ
４  ＰＦユーカリ
５  ＰＦシダ
６  ＰＦトフトストーベ
７  ＰＦヴェルデッシモ
８  ヒノキの実
９  ブナの実
１０  カシュリナの実
１１  コメツガの実
１２  クローブの蕾
１３  シナモンの葉
１４  ブリヨン製のリーフ
１５  ブリヨン製の花
１６  ブリヨンで巻いたクローブ
１７  枝状にねじり結んだパール
１８  ナツメパール製の花
１９  布製の花
２０  布製のリーフ
２１  ＰＦプベッセンス
２２  ＰＦラムズイヤー
２３  ＰＦソフトコットンフィリカ
【図１】
2006168091.tif 000003
【図２】
2006168091.tif 000004
【図３】
2006168091.tif 000005
【図４】
2006168091.tif 000006
【図５】
2006168091.tif 000007